(57)【要約】  紙葉（１）の束（５）のエッジ（２）を装丁背部材（７）に配置して固定することで、装丁背部材（７）に紙葉（１）の束（５）を装丁する方法において、装丁を行うために、各紙葉（１）のストリップ（４）を、同じ線に沿って予め別々に二重に折ることで、前記エッジ（２）と並行にのび、かつ、前記エッジ（２）から距離（A)だけ離れた位置に折り線（３）を形成した紙葉（１）の束（５）を使用することを特徴とする。【選択図】    図７
2015535203.tif 000002
【特許請求の範囲】
【請求項１】
紙葉（１）のエッジ（２）を有する束（５）を、装丁背部材（７）内に配置して、該装丁背部材（７）に固定することによって装丁背部材（７）に紙葉（１）の束（５）を装丁する方法において、
装丁を行うために、
各紙葉（１）のストリップ（４）を、同じ線に沿って予め別々に二重に折ることで、前記エッジ（２）と並行にのび、かつ、前記エッジ（２）から距離（A)だけ離れた位置に折り線（３）を形成した紙葉（１）の束（５）を使用し、
それにより、
束（５）の紙葉（１）が、装丁されるべきエッジ（２）から同じ距離（A)だけ離れた位置で二重に折られるようにした
ことを特徴とする装丁方法。
【請求項２】
その紙葉（１）のストリップ（４）を、紙葉（１）の平面に折り戻した紙葉（１）の束（５）を使用する
ことを特徴とする請求項１に記載の装丁方法。
【請求項３】
前記ストリップ（４）が折りたたまれる角度が９０°より大きい
ことを特徴とする請求項１又は２に記載の装丁方法。
【請求項４】
前記ストリップ（４）を折りたたむ角度が少なくとも１２０°であることを特徴とする請求項３に記載の装丁方法。
【請求項５】
紙葉（１）の折り線（３）とエッジ（２）との間の距離（A)を、装丁された束（５）を開く時に、開かれた紙葉（１）がフラットに、又は実質的にフラットに広がるように選択することを特徴とする請求項１〜４の何れか一項に記載の装丁方法。
【請求項６】
装丁背部材（７）がV字型又はU字型の装丁背部材であり、前記距離（A)が本質的に装丁背部材（７）の深さに対応している
ことを特徴とする請求項１〜５の何れか一項に記載の装丁方法。
【請求項７】
前記距離（A)が、装丁背部材（７）の深さより少し大きい
ことを特徴とする請求項１〜６の何れか一項に記載の装丁方法。
【請求項８】
前記距離（A)が、１０〜１４ｍｍの間であり、好ましくは１２ｍｍである
ことを特徴とする請求項１〜７の何れか一項に記載の装丁方法。
【請求項９】
装丁背部材（７）が、熱溶融接着材（１０）が設けられた  金属製装丁背部材（７）であり、
固形化された後に、紙葉（１）を、それらの前記エッジ（２）に沿って留めるために、前記熱溶融接着材（１０）が装丁中に溶融されるように形成されている
ことを特徴とする請求項１〜８の何れか一項に記載の装丁方法。
【請求項１０】
装丁背部材（７）のアーム（１４）を、装丁背部材（７）に束（５）をクランプするために、束（５）が配置された後に絞り込む
ことを特徴とする請求項６〜９の何れか一項に記載の装丁方法。
【請求項１１】
束（５）を予めホチキス止めする
ことを特徴とする請求項１〜１０の何れか一項に記載の装丁方法。
【請求項１２】
紙葉（１）に、前記折り線（３）に至るまで連続する印刷物（１５）が予め設けられている
ことを特徴とする請求項１〜１１の何れか一項に記載の装丁方法。
【請求項１３】
お互いに向き合うようにされた隣接する紙葉（１）の側面（６）に、一方の側面（６）から他方の側面（６）まで両方の紙葉（１）の折り線（３）を超えて、言わば途切れなく続く印刷物（１５）が設けられ、
一方の側面（６）にある印刷物（１５）の部分が、関連した紙葉（１）の折り線（３）に至り、かつ、他方の側面（６）にある印刷物（１５）の部分が隣接する紙葉（１）の折り線（３）に至るようにされている
ことを特徴とする請求項１〜１２の何れか一項に記載の装丁方法。
【請求項１４】
一方の側面（６）の印刷物（１５）と他方の側面（６）の印刷物（１５）とが、折り線（３）を超えるオーバーラップ部分を介して連続している
ことを特徴とする請求項１３に記載の装丁方法。
【請求項１５】
ホルダー又は本の一つ又は二つのエンドペーパー（１１）が、装丁背部材（７）に設けられている
ことを特徴とする請求項１〜１４の何れか一項に記載の装丁方法。
【請求項１６】
エンドペーパー（１１）が、装丁背部材（７）のアーム（１４）に対して外側に、装丁背部材（７）のアーム（１４）に接触するまで、又は殆ど接触するまで、完全に折ることができる
ことを特徴とする請求項１５に記載の装丁方法。
【請求項１７】
紙葉（１）の少なくとも一部から成るストリップ（４）を、それぞれ独立して、同じ線に沿って二重に折り、エッジ（２）と並行に伸び、かつ、エッジ（２）から所定の距離（A)離れて位置する折り線（３）を形成し、
それにより、紙葉（１）の前記一部分に対する距離（A)が同一になる
ことを特徴とする紙葉の束。
【請求項１８】
紙葉（１）のストリップ（４）が、それぞれ独立して、紙葉（１）の平面に折り戻されるために束（５）を構成する紙葉（１）がフラットになり、かつ、
距離（A)が約１０ｍｍと１４ｍｍの間である
ことを特徴とする請求項１７に記載の紙葉の束。
【請求項１９】
装丁背部材（７）と、その中に装丁される紙葉（１）の束（５）とを有する本又はホルダーであって、
装丁された束（５）が、請求項１７又は１８に記載の束（５）である
ことを特徴とする本又はホルダー。
【請求項２０】
請求項１７又は１８に記載の紙葉（１）の束（５）を形成する方法であって、
プレート（１９）の間から突出する幅（A)のストリップ（４）を除いて二枚のプレート（１８）の間に、折るべき紙葉（１）をクランプし、
突出するストリップ（４）を、紙葉（１）の平面に直交する方向（Y-Y')に部分的に折り、
部分的に折られたストリップ（４）と共にプレート（１８）を、
じょうご型溝（２２）の中に、又は、バネ付若しくは固定サスペンションを有する二つのローラの間に押し込むことによって、又は
じょうご型溝（２２）を有する外形付け要素（２１）を、プレート（１８）のエッジ（１９）を超えて動かすことによって、
ストリップ（４）をさらに折り、
じょうご型溝（２２）及び折られたストリップ（４）を有するプレート（１８）をお互いに離す方向に動かし、
折られたストリップ（４）を紙葉（１）の平面まで折り戻し、かつ、さらにプレート（１８）の反対側のストリップ（４）の部分的に折られる位置までストリップ（４）を折り戻し、
部分的に折られたストリップ（４）を有するプレート（１８）を、
じょうご型溝（２２）の中に、又はばね付若しくは固定のサスペンションを有する二つのローラの間に、押し込むことによって、又は
じょうご型溝（２２）を有する外形付け要素（２１）を、プレート（１８）のエッジ（１９）を超えて動かすことによって、
ストリップ（４）をさらに折り、次いで、
それを引き戻して、紙葉（１）の平面まで折られたストリップ（４）を折り戻す
ことで、束（５）を構成する各紙葉（１）を、独立して二重に折り
ことを特徴とする方法。
【請求項２１】
請求項２０による方法を適用して、紙葉（１）の束（５）を形成する装置（１７）であって、
該装置（１７）に、
幅（A)を有する突出したストリップ（４）を形成するために、紙葉（１）のエッジ（２）から距離（A)離れた位置にある線（２０）に沿って、束（５）の各紙葉（１）をクランプするためのクランプ手段（１８）と、
このストリップ（４）を、前記線（２０）に沿って、クランプ手段（１８）に対して、完全に又はほぼ完全に折るための折り曲げ手段と
が設けられ、
紙葉（１）のエッジ（２）から前記距離（A)の位置に折り線（３）を形成するようにした
ことを特徴とする装置。
【請求項２２】
クランプ手段（１８）が、二つのプレート（１８）によって形成され、それらの間に各紙葉（１）がクランプされ、
各プレート（１８）が、それに沿って紙葉（１）を折らなければならない線（２０）と整列するエッジ（１９）を有する
ことを特徴とする請求項２１に記載の装置。
【請求項２３】
硬質プレート（１８）が、鋼鉄で形成され、略０．３ｍｍの厚みを有する
ことを特徴とする請求項２１又は２２に記載の装置。
【請求項２４】
折り曲げ手段（２１）が、折り畳むべき紙葉（１）の平面に並行な方向（X-X')に沿って伸びる、じょうご型溝（２２）を有する外形付け要素（２１）によって形成されている
ことを特徴とする請求項２１〜２３の何れか一項に記載の装置。
【請求項２５】
折り曲げ手段（２１）及び紙葉（１）をクランプしたクランプ手段（１８）を、
折り畳まれるべき紙葉（１）がじょうご型溝（２２）と一直線上になる位置と、
紙葉（１）が、じょうご型溝（２２）の中にあり、前記ストリップ（４）がじょうご型溝（２２）の底部（２５）に直面する位置との間で、
お互いに対して、折り畳まれるべき紙葉（１）の平面と並行な方向（X-X')に動かす手段を備えている
ことを特徴とする請求項２１〜２４の何れか一項に記載の装置。
【請求項２６】
クランプされた紙葉（１）のストリップ（４）を、
紙葉（１）をじょうご型溝（２２）の中に動かす前に、
クランプ手段（１８）に対して直交する方向に折り畳む手段を、さらに備えている
ことを特徴とする請求項２５に記載の装置。
【請求項２７】
クランプ手段（１８）に、クランプ手段（１８）が折り曲げ手段（２１）に対して、紙葉（１）の平面に対して直交する方向（Y-Y')に、移動することができるようにする装置が設けられている
ことを特徴とする請求項２６に記載の装置。
【請求項２８】
折り曲げ手段（２１）が、じょうご型溝（２２）の入口（２３）の位置に、それらの間で、紙葉（１）が溝（２２）の中に移動し得る固定された又はバネ付サスペンションを有する一つ、二つ又はそれ以上のローラ（２４）を備えている
ことを特徴とする請求項２１〜２７の何れか一項に記載の装置。
【発明の詳細な説明】
【技術分野】
【０００１】
本発明は、本等を形成するため、特に、本、即ち、その紙葉をフラットに開くことができる印刷物及び開いた二つの紙葉に亘って途切れなく連続する印刷物を得るための紙葉の束の装丁方法に関する。この最後の態様は、写真集や、開いた本の全幅に亘って広がる写真及びイラストを含む雑誌等のために特に望まれる。
【背景技術】
【０００２】
伝統的には、本は、半分に折った紙葉から成る多数、例えば、１６の折丁で構成されている。これらの折丁は、中心の折り線に沿って綴じられ、そして、多数の折丁の背が外側で一緒に綴じられる。
【０００３】
その後、このセットは、ガーゼに接着される。ガーゼは非常にフレキシブルなので、本を開いた後にページがフラットに置かれることが保証されることになる。
【０００４】
半分に折られた紙葉が、綴じ本を製造するために常に必要とされる。
【０００５】
このような本は、写真集等を製造するためには使用できないという欠点がある。なぜなら、写真集のページを印刷するために用いられる印刷機やプリンタが、印画紙から成るシートを予め切断するよう動作するからである。
【０００６】
このような予め切断された紙葉は、このような写真集を形成するための綴じることができない。
【０００７】
また、半分に折られていない単一の紙葉の束から製造される本も知られている。
【０００８】
従来は、単一の紙葉の束から成る本は、単一の紙葉の束の縁を接着することによって形成されている。
【０００９】
この接着を、本が開かれたり閉じられたりする時に紙が外れることがないような強さにするために、接着剤が、束の中の紙葉の間にも入るように、紙葉の束は、常に、限られた距離、例えば、０．５ｍｍにわたり接着剤の中に位置することになる。
【００１０】
最近の接着剤は非常にフレキシブルであり、接着した後に紙葉が外れることなく、本を完全にフラットに開くことができる。
【００１１】
しかし、本を完全に開くことによって、接着中に紙葉の間に入った接着剤が明確に見えるようになる。
【００１２】
この見えるようになった接着剤は、紙葉の印刷が結合部に至るまで連続している時には不都合である。結局、この接着剤は印刷物の上に載り、印刷物の美的外観を下げることになる。
【００１３】
一体化された薄板状の印刷可能なヒンジを備えた紙葉が既に公知であり、これは、これらの紙葉の束を装丁して本を形成することを可能にし、束を開いた後にページをフラットにする。
【００１４】
しかし、このような紙葉の製造は高価な工程であり、その工程はたくさんの人手を要する。
【００１５】
本発明の目的は、前記した問題及び他の問題の一つ又は複数を解決するための手段を提供することにある。
【発明の概要】
【００１６】
本発明の主題は、紙葉のエッジを有する束を、装丁背部材内に配置して、該装丁背部材に固定することによって装丁背部材に紙葉の束を装丁する方法において、装丁を行うために、  各紙葉のストリップを、同じ線に沿って予め別々に二重に折ることで、前記エッジと並行にのび、かつ、前記エッジから距離だけ離れた位置に折り線を形成した紙葉の束を使用し、それにより、束の紙葉が、装丁されるべきエッジから同じ距離だけ離れた位置で二重に折られるようにしたことにある。
【００１７】
このような方法の利点は、折り線により、本を開く時に、この折り線に沿って紙葉を開くことが可能になることにある。また、紙葉の束を後ろで留める時に、紙葉が、それらの鋭い折り線によって互いに対抗する向きに広がり、その結果、紙葉をフラットに開くことが可能になり、かつ、隣接する二つの折り線に亘って縫い目がないと同様に、開いた紙葉を横切って印刷物を連続させることが可能になるという利点を有する。
【００１８】
別の利点は、束が開かれる時に、開いた紙葉の間に裂け目がなく、その結果、後ろで束を装丁するために用いられる接着、縫い合わせ又はホッチキス止めが、目に見えることがなく、従って、ある紙葉から別の紙葉までつながる印刷物を邪魔することはない。
【００１９】
好ましくは、その紙葉のストリップを、紙葉の平面に折り戻した紙葉の束が使用される。
【００２０】
結果として、二重に折られた紙葉を持たない従来の束と同じ従来の方法において、装丁は、順調に、正確に、かつ簡単に進むことになる。
【００２１】
好ましくは、紙葉の折り線とエッジとの間の距離は、装丁された束を開く時に、開かれた紙葉がフラットに、又は実質的にフラットに広がるように選択される。
【００２２】
ここで、フラットは、一枚の紙葉の平面が、他の紙葉の平面にあり、二枚の紙葉のセットが一つの面でひろがり、二枚の紙葉のセットがフラット又は実質的にフラットであるとみなされることを意味する。
【００２３】
これにより、例えば、紙葉が装丁している側で膨れ上がらないので、紙葉に印刷されたテキストを読むことが楽になる。紙葉に印刷された写真については、装丁している側で紙葉の膨れ上がりがないことは、美学的特徴を高めることになる。
【００２４】
本発明によれば、束の中の全ての紙葉が、留められるべきエッジから同じ距離で二重に折られる。
【００２５】
このことの利点は、機械を使用することで折り曲げを容易に自動化することができることにある。
【００２６】
これは、特に、予め折られた紙葉に適用されることになる。
【００２７】
好ましい特徴によれば、装丁背部材がV字型又はU字型の装丁背部材であり、紙葉の折り線とエッジとの間の距離が本質的に装丁背部材の深さに対応し、この距離は、好ましくは、装丁背部材の深さよりわずかに大きい。
【００２８】
これにより、束が装丁背部材に固定された時に、折り線のレベルで、紙葉が装丁背部材に亘って折られ得るという利点が得られる。
【００２９】
好ましい特徴によれば、前記距離は、１０〜１４ｍｍの間であり、好ましくは１２ｍｍである。
【００３０】
好ましい特徴によれば、装丁背部材は、熱溶融接着材が設けられた金属製装丁背部材であり、固形化された後に、紙葉を、それらの前記エッジに沿って留めるために、前記熱溶融接着材が装丁中に溶融されるように形成される。
【００３１】
このことの利点は、この方法によって、早く実用的な方法で装丁背部材に束を固定することが可能になる点にある。なぜなら、紙葉は、折り線のレベルで広げられ、束が開いている時に、エッジの接着時が見えないからである。
【００３２】
好ましくは、金属製装丁背部材のアームが、装丁背部材に束をクランプするために、束が配置された後に絞り込まれる。
【００３３】
このことによる利点は、束が、装丁背部材に、しっかりと固定されることにある。さらにまた、絞り込まれた装丁背部材は、束が開かれた時に、紙葉の折り線が相互に対向してフラットに位置し、束と装丁背部材のアームのエッジとの間に裂け目が生じないように紙葉を保持することになり、その結果、接着剤等は見えないところに隠される。
【００３４】
好ましい特徴によれば、束は、装丁する前に、予めホチキス止めされ得る。
【００３５】
このような方法の利点は、原理上は、装丁背部材に束を保持するために接着剤は必要なく、ホッチキス止めされた束を装丁背部材の中に置き、次いで、他bが装丁背部材でクランプされるように装丁背部材を絞り込むだけで十分であることにある。
【００３６】
好ましい特徴によれば、紙葉に、前記折り線に至るまで連続する印刷物が最初に設けられる。
【００３７】
好ましい特徴によれば、お互いに向き合うようにされた隣接する紙葉の側面に、一方の側面から他方の側面まで両方の紙葉の折り線を超えて、言わば途切れなく続く印刷物が設けられ、一方の側面にある印刷物の部分が、関連した紙葉の折り線に至り、かつ、他方の側面にある印刷物の部分が隣接する紙葉の折り線に至るようにされている。
【００３８】
このことの利点は、印刷物、例えば、写真を、隣接する紙葉の二つの側面に跨って連続させることができることにある。さらに、印刷物を、前述したエッジまで連続させる必要がなく、紙葉の印刷がより容易になる。
【００３９】
好ましくは、一方の側面の印刷物と他方の側面の印刷物とは、折り線を超えるオーバーラップ部分を介して連続する。
【００４０】
このことの利点は、例えば、予め紙葉を二重に折る間に、又は、束を装丁する間に、小さなずれや間違いが生じても、束を開いた時に、折り線のレベルに細い未印刷線が見えることがないことにある。
【００４１】
好ましい実施例では、ホルダー又は本の一つ又は二つのエンドペーパーが、装丁背部材に設けられる。
【００４２】
このエンドペーパーにより、束の一番外側の紙葉の外側面の印刷物を損傷や濡れから保護される。
【００４３】
好ましくは、エンドペーパーは、装丁背部材のアームに対して外側に、装丁背部材のアームに接触するまで、又は殆ど接触するまで、完全に折られる。
【００４４】
これにより、束をめくる時に、装丁背部材を折り線に並行な軸を中心に曲げることができることが保証されることになる。
【００４５】
この結果、束をめくる間、ページはフラットに広がることになる。
【００４６】
本発明は、また、各紙葉の少なくとも一部から成るストリップを、別々に、同じ線に沿って二重に折り、エッジと並行に伸び、かつ、エッジから所定の距離、離れて位置する折り線を形成し、それにより、紙葉の前記部分に対する距離が同一になる紙葉の束に関する。
【００４７】
好ましくは、各紙葉のストリップを、それぞれ独立して、紙葉の平面に折り戻すことで、束を構成する紙葉をフラットにし、かつ、紙葉の前記部分の距離は約１０ｍｍから１４ｍｍの間である。
【００４８】
前記説明は、前記距離がより大きくなくこと、例えば、１５ｍｍ〜２０ｍｍの間になることを除外するものではない。
【００４９】
さらにまた、本発明は、装丁背部材と、その中に装丁される紙葉の束とを有し、前記装丁された束が発明による束である本又はホルダーに関する。
【００５０】
さらにまた、本発明は、本発明に従って紙葉の束を形成する方法であって、プレートの間から突出する幅のストリップを除いて二枚のプレートの間に、折るべき紙葉をクランプし、  突出するストリップを、紙葉の平面に直交する方向に部分的に折り、部分的に折られたストリップと共にプレートを、じょうご型溝の中に、又は、バネ付若しくは固定サスペンションを有する二つのローラの間に押し込むことによって、又はじょうご型溝を有する外形付け要素を、プレートのエッジを超えて動かすことによって、ストリップをさらに折り、じょうご型溝及び折られたストリップを有するプレートをお互いに離す方向に動かし、折られたストリップを紙葉の平面まで折り戻し、かつ、さらにプレートの反対側のストリップの部分的に折られる位置までストリップを折り、部分的に折られたストリップを有するプレートを、じょうご型溝の中に、又はばね付若しくは固定のサスペンションを有する二つのローラの間に、押し込むことによって、又はじょうご型溝を有する外形付け要素を、プレートのエッジを超えて動かすことによって、ストリップをさらに折り、次いで、それを引き戻して、紙葉の平面まで折られたストリップを折り戻すことで、束を構成する各紙葉を、独立して二重に折る方法に関する。
【００５１】
このような方法により、同じラインに沿って紙葉を二重に折ることを可能にする。
【００５２】
さらにまた、本発明は、本発明による紙葉の束を形成する方法を滴お湯する装置であって、  該装置に、紙葉のエッジから、ある距離、離れた位置にある線に沿って、束の各紙葉をクランプして、前記距離と同じ幅を有する突出したストリップを形成するためのクランプ手段と、このストリップを、前記線に沿って、クランプ手段に対して、完全に又はほぼ完全に折るための折り曲げ手段とを設け、紙葉のエッジから前記距離の位置に折り線を形成するようにした装置に関する。
【００５３】
好ましい実施例では、クランプ手段は、間に各紙葉をクランプし得る二つのプレートによって形成され、各プレートが、それに沿って紙葉を折らなければならない線と整列するエッジを有する。
【００５４】
二つのプレートの間に紙葉をクランプすることによって、紙葉は同じ線に沿って二重に折られ、折り線が形成される。
【００５５】
これらのプレートは、例えば、鋼鉄で形成され、０．３ｍｍの厚みを有する
【００５６】
好ましくは、折り曲げ手段は、折り畳むべき紙葉の平面に並行な方向に沿って伸びる、じょうご型溝を有する外形付け要素によって形成される。
【００５７】
好ましい実施例では、装置には、折り曲げ手段及び紙葉をクランプしたクランプ手段を、  折り畳まれるべき紙葉がじょうご型溝と一直線上になる位置と、紙葉が、じょうご型溝の中にあり、前記ストリップがじょうご型溝の底部に直面する位置との間で、お互いに対して、折り畳まれるべき紙葉の平面と並行な方向に動かす手段が設けられる。
【００５８】
好ましくは、装置には、クランプされた紙葉のストリップを、紙葉をじょうご型溝の中に動かす前に、クランプ手段に対して直交する方向に折り畳む手段が、さらに設けられる。
【００５９】
これらの手段は、例えば、クランプ手段に、クランプ手段を折り曲げ手段に対して、紙葉の平面に対して直交する方向に動かすことができるようにする装置を設けることによって形成される。
【００６０】
折り畳み手段及びクランプ手段を、紙葉の平面と並行な方向及び直交する方向に、相互に動かす手段により、紙葉の折り曲げを自動的に実行することを可能にする。
【００６１】
好ましい実施例では、じょうご型溝の入口の位置で、折り曲げ手段に、固定された又はバネ付サスペンションを有する一つ、二つ又はそれ以上のローラが設けられ、これらの間で、紙葉が溝の中を移動し得る。
【００６２】
これらのローラの寸法は、それらが相互に接触し得るようにしてもよい。ローラが金属で形成されている場合、プレートがローラの間を通ることを可能にするために、それらにはスプリングサスペンションが設けられる。ローラがゴム又は同様の材料で形成されている場合、それらには固定されたサスペンションが設けられ得る。
【００６３】
この方法では、紙葉は、それが溝内で動かされる時に、滑り運動又は摩擦運動に晒されず、ローラが紙葉の表面で回転することになる。そのため、紙葉の表面の印刷物はダメージを受けることはない。
【００６４】
本発明の特徴をより良く示すために、本発明に従って紙葉の束を装丁する好ましい方法が、以下に、添付図面を参照して、本質を何ら限定するものではない実施例を通して説明される。
【図面の簡単な説明】
【００６５】
【図１】本発明による方法の一連の工程を概略的に示す図である。
【図２】本発明による方法の一連の工程を概略的に示す図である。
【図３】本発明による方法の一連の工程を概略的に示す図である。
【図４】本発明による方法の一連の工程を概略的に示す図である。
【図５】本発明による方法の一連の工程を概略的に示す図である。
【図６】本発明による方法の一連の工程を概略的に示す図である。
【図７】本発明による方法の一連の工程を概略的に示す図である。
【図８】図７の束のページをめくっている状態を概略的に示している。
【図９】図７の束のページをめくっている状態を概略的に示している。
【図１０】図７の束のページをめくっている状態を概略的に示している。
【図１１】図７における矢印Ｆ１１視図を概略的に示している。
【図１２】図１１の折られた紙葉を、束ねていない分離した位置において、概略的に示している。
【図１３】図１２の別の実施例を概略的に示している。
【図１４】紙葉を鋭く二つに折る機械を概略的に示している。
【図１５】図１４に示したような装置を使用する時の一連の異なる工程を概略的に示している。
【図１６】図１４に示したような装置を使用する時の一連の異なる工程を概略的に示している。
【図１７】図１４に示したような装置を使用する時の一連の異なる工程を概略的に示している。
【図１８】図１４に示したような装置を使用する時の一連の異なる工程を概略的に示している。
【図１９】図１４に示したような装置を使用する時の一連の異なる工程を概略的に示している。
【図２０】図１４に示したような装置を使用する時の一連の異なる工程を概略的に示している。
【図２１】図１４に示したような装置を使用する時の一連の異なる工程を概略的に示している。
【図２２】図１４に示したような装置を使用する時の一連の異なる工程を概略的に示している。
【図２３】図１４に示したような装置を使用する時の一連の異なる工程を概略的に示している。〜図２３は、
【図２４】紙葉を鋭く二つに折る別の装置及びこのような装置を使用した時の工程を示している。
【図２５】紙葉を鋭く二つに折る別の装置及びこのような装置を使用した時の工程を示している。
【図２６】紙葉を鋭く二つに折る別の装置及びこのような装置を使用した時の工程を示している。
【発明を実施するための形態】
【００６６】
図１〜図４は、二つに折られた紙葉を製造する方法を概略的に示している。
【００６７】
この目的を達成するために、エッジ２を有する紙葉１が、エッジ２と並行にのび、エッジ２から距離Aだけ離れた位置にある折り線３に沿って、図２に示すように一方向に折り返される。
【００６８】
この方法で、折り線３によって境目がつけられたストリップ４が形成される。
【００６９】
次いで、ストリップ４は、図３に示すように鋭い折り線３に沿って反対方向に折られる。
【００７０】
ストリップ４は、図２及び図３に示すように、毎回、９０°以上の角度で折られる。この実施例では角度は１２０°である。
【００７１】
しかし、紙葉１を折る角度が１２０°より大きいことが除外されるものではない。
【００７２】
９０°以上の角度、好ましくは１２０°の角度で紙葉１を折ることは、紙葉１が形成された折り線３にわたって折り重なることになるという利点を有する。角度が９０°より小さい時は、紙葉１は折り線３の周りで曲がることになる。
【００７３】
最後に、図４に示すように、ストリップ４は、紙葉１と直線上になるように折り戻される。
【００７４】
この方法で、二重に折られた紙葉１が形成される。
【００７５】
好ましくは、鋭い折り線３を形成するストリップ４は、完全に二重に折られる。この方法で、折り線３は、それに沿って、ストリップ４に対して紙葉１を柔軟に折り及び折り戻すことができる、言わば、フレキシブルヒンジを形成する。
【００７６】
エッジ２と折り線３との間の距離Aは、ストリップ４の幅と等しい。
【００７７】
図５〜図７は、二重に折られた紙葉１の束５を装丁する方法を概略的に示している。
【００７８】
図５に示すように、束は多数の二重に折られた紙葉１から成り、紙葉１はその側面６が相互に対向するように配置され、それにより、紙葉１の装丁されるべきエッジ２が相互に一列に並べられる。
【００７９】
この実施例では、装丁背部材７は、基部に熱溶融接着剤層１０が設けられた、例えば、金属製のU字状部分８を有する。
【００８０】
装丁背部材７には、さらに、例えば、厚紙から成る二枚のエンドペーパー１１が設けられており、これらエンドペーパー１１の両側にカバー１２が設けられている。
【００８１】
装丁背部材７が他の形態もとり得ることは明らかである。
【００８２】
束５は、装丁背部材７のU字部分８の中に置かれ、それにより二重に折られた紙葉１のエッジ２が、図６に示すように、熱溶融接着剤１０の層の上に置かれる。
【００８３】
これにより、二重に折られた紙葉１の折り線３は、U字状部分８より幾らか上方に出る。
【００８４】
次いで、熱溶融接着剤層１０が、熱源１３によって加熱される。これにより熱溶融接着剤１０は溶けて液状になり、二重に折られた紙葉１の束５は、その中で貼付けられ得る。
【００８５】
熱溶融接着剤１０の固形化処理の後、束５は熱溶融接着剤１０を介して装丁背部材７に取り付けられる。
【００８６】
次いで、図７に示すように、装丁背部材７のU字状部分８のアーム１４が一緒に絞り込まれる。これにより、束５が装丁背部材７に特別に頑丈に固定され、束５がアーム１４の自由端にフィットし、それらの間に裂け目が見えることがない。
【００８７】
ここで、装丁された束５は、装丁された紙葉１を有するフォルダに仕上げられる。
【００８８】
図７に示すように、束５を開く時、二重に折られた紙葉１は、一つの面の中で広がることになる。
【００８９】
実際には、その結果は、図面に示されたものよりもよい。図面は、明確にするために紙葉に若干厚みを与えており、いくらか歪んだ絵になっているからである。
【００９０】
図８〜図１０は、装丁背部材７のU字状部分８が、ページをめくっている時に、どのように曲がることになるかを概略的に示している。
【００９１】
エンドペーパー１１が開かれる時、それは、図８に示すように、U字状部分８のアーム１４に対向して折られ得る。
【００９２】
さらにページをめくると、U字状部分８が、矢印Bに従って他方のエンドペーパー１１に向けて曲げられることになるので、U字状部分８のアーム１４は、このエンドペーパー１１から離れる方向に動くことになる。これは図９に示されている。
【００９３】
さらにページをめくると、図１０に示すように、装丁背部材７の他方のアーム１４が、最終的に、他方のエンドペーパー１１に対向するまで、装丁背部材のU字状部分８はさらに曲げられることになる。
【００９４】
この装丁背部材７の折り曲げは、言わば、束５のページめくりの時に自動的に行われ、束５が特定のページで開かれた時に、紙葉１が平らに広がることを保証する。
【００９５】
図１１に示すように、二重に折られた紙葉１の側面６に、例えば、イラスト１５又は写真の一部が印刷されており、そのイラスト１５が、一方の二重に折られた紙葉１から他方の二重に折られた紙葉１まで、途切れないも同然に、連続し、従って、一つの連続したイラストを形成している。これは、例えば、写真アルバムを作成する時に有益であり、これにより、大きな写真が、この方法で、二つの紙葉１にわたって広がるように掲載され得、二つの紙葉１の間に不都合な切れ目がない。
【００９６】
図１２は、二枚の印刷された二重に折られた紙葉１を示しており、これにより、装丁後に、印刷物１５が、一緒に両方の紙葉１上で単一の全体像を形成することになる。
【００９７】
印刷物１５は折り線３まで印刷され、ストリップ４は印刷されないまま残る。
【００９８】
図１３は、別の実施例を示しており、ここでは、スプリット４の部分１６にも、印刷物１５の重なる部分が印刷される。
【００９９】
熱溶融接着剤１０を省略することができることは明らかであり、かつ、装丁背部材７内に配置する前に束５をホッチキス止めしてもよいことは明らかである。
【０１００】
また、装丁背部材７のU字状部分８のアーム１４の絞り込みを省略することができることも明らかである。
【０１０１】
本発明に従って紙葉１の束５を形成する装置１７が図１４に示されている。
【０１０２】
装置１７には、二つのプレート１８が設けられている。前記プレート１８は、この実施例では、０．３ｍｍの厚さのスチールプレートであり、クランプ手段１８として機能する。
【０１０３】
前記二つのプレート１８は、二つのプレート１８ｂの間に設けられている。これらのプレート１８ｂは、二つのプレート１８の間でクランプされる紙葉１に対して動かすことができる。プレート１８は、紙葉１に対して動かすことができない。
【０１０４】
紙葉１は、二つのプレート１８の間でクランプされる。前記プレート１８のエッジ１９は、紙葉１のエッジ２から距離Aの位置で線２０に合わせられ、幅Aを有するストリップ４を形成する。
【０１０５】
さらにまた、装置１７には、折り曲げ手段２１として機能する、じょうご型溝２２を備えた外形付け要素２１が設けられている。
【０１０６】
溝２２の入口２３には、二つの回転ローラ２４が設けられている。じょうご型溝２２の底部２５は、尖った先端２５で終端する。
【０１０７】
さらにまた、装置１７には、プレート１８を、要素２１に対して、紙葉１の面と並行なX-X’方向及び紙葉１の面と垂直なY-Y’方向に動かす手段も設けられている。前記手段は簡単化のために図示されていない。
【０１０８】
装置１７を使用して、本発明に従って紙葉１の束５を形成する方法の一連の工程が図１５〜図２３に示されている。
【０１０９】
図１５は、どのようにして紙葉が二枚のスチールプレート１８の間でクランプされ、それによって、紙葉１の幅Aを有するストリップ４が、スチールプレート１８の間から突出していることを示している。
【０１１０】
紙葉１を挟んだプレート１８は、要素２１の上方にあり、その位置で、ストリップ４は、要素２１の入口２３を超えている。
【０１１１】
プレート１８は、その後、要素２１に向けて動かされ、図１６に示すように、紙葉１のストリップ４は部分的に上方に向けて折られる。
【０１１２】
プレート１８がじょうご型溝２２のレベルにきた時、プレート１８は、図１７に示すように、溝２２の方向に動かされることになる。プレート１８ｂは、じょうご型溝２２の中では動かされず、定位置にとどまることになる。
【０１１３】
結果的に、ローラ２４が、プレート１８間の紙葉１が溝２２内で容易にガイドされることを保証することになる。
【０１１４】
プレート１８が可能な限り、溝２２のボトム２５に近づくと、ストリップ４は、プレート１８のエッジ１９で向きを変えて、線２０に沿って上向きに折られることになり、その結果、鋭い折り線３が生じる。
【０１１５】
図面から明らかなように、紙葉１は１２０°より大きい角度で折られている。このことが鋭い折り線３を生じさせる。
【０１１６】
その後、プレート１８は、溝２２から後方に動かされ、即ち、プレート１８ｂの中に後退させられる。折られたスプリット４は、図１８に示すように、プレート１８ｂを用いて、紙葉１の平面に折り戻される。
【０１１７】
第一の鋭い折り線３が形成される。この折り線３に亘ってストリップ４を反対方向に折るために、図１９〜２３に示すように、同じ線２０に亘って、上向きに、同様の行程が実行される。
【０１１８】
紙葉１を有するプレート１８は、要素２１の下方にあり、この位置において、ストリップ４は要素２１の入口２３を超えている。
【０１１９】
その後、プレート１８は、要素２１に向けて動かされ、図２０に示すように、紙葉１のストリップ４が部分的に下向きに折られる。
【０１２０】
プレート１８がじょうご型溝２２のレベルにきた時、プレート１８は、図２１に示すように、溝２２の方向に動かされることになる。プレート１８ｂは、じょうご型溝２２の中では動かされず、定位置にとどまることになる。
【０１２１】
結果的に、ローラ２４が、プレート１８間の紙葉１が溝２２内で容易にガイドされることを保証することになる。
【０１２２】
プレート１８が可能な限り、溝２２のボトム２５に近づくと、ストリップ４は、プレート１８のエッジ１９で向きを変えて、線２０に沿って下向きに折られることになり、その結果、鋭い折り線３が生じる。
【０１２３】
この場合もまた、紙葉１は１２０°より大きい角度で折られている。
【０１２４】
この鋭い折り線３は、先の折り線３と同じ線２０上に形成されることになる。言い換えれば、この方法で、鋭い二重折り線３が形成される。
【０１２５】
その後、プレート１８は、溝２２から後方に動かされ、言わば、プレート１８ｂの中に後退させられる。次いで、折られたスプリット４は、図２２及び２３に示すように、プレート１８ｂを用いて、紙葉１の平面に折り戻される。
【０１２６】
この方法で、鋭い二重に折られた紙葉１が形成され得る。
【０１２７】
プレート１８を用いることによって、ストリップ４が、正確に同じ線２０で二回折られることが保証され得る。
【０１２８】
じょうご型溝２２を使用することで、鋭い折り線３を得ることができる。
【０１２９】
じょうご型溝２２に、さらに別のローラ２４を設けてもよく、また、ローラ２４を完全になくしてもよいことは明らかである。
【０１３０】
また、この方法は、図１９〜図２３に示した行程を最初に実行し、次いで、図１５〜図１８に示した行程を実行することによっても、言い換えれば、ストリップ４を最初に下方に折り、次いで上方に折ることによっても、実施され得ることも明らかである。
【０１３１】
図２４〜図２６は、本発明による装置１７の別の実施例を示している。この実施例の場合、紙葉１をクランプしたプレート１８及び外形付け要素２１は、互いに、一つの方向にのみ、即ち、紙葉１の平面の方向にのみ動くことができ、そのため、プレート１８は、じょうご型溝２２の入口２３と向かい合って配置される。
【０１３２】
クランプされた紙葉１のストリップ４をプレート１８に対して垂直に折る手段が、この実施例では、独立した要素２６、例えば、スティルス２６によって形成されている。前記要素２６は、プレート１８と外形付け要素２１との間に、プレート１８の平面に直交する方向Y-Y'に、移動可能に配置される。
【０１３３】
加えて、じょうご型溝２２の底部２５は開かれ得る。開口２７の幅Cは、紙葉１をクランプした二つのプレート１８の厚さDより多少広い。
【０１３４】
このような別の実施例の装置の使用は以下の点で異なる。この実施例では、紙葉１のストリップ４は、プレート１８がじょうご型溝２２の中に位置する前に、突出しているストリップ４を上方又は下方に垂直に最初に折るために、プレート１８の一側からプレート１９の他側に、要素２６を上方又は下方に動かすことによって折られる。要素２６は、プレート１８の一側のある位置から、プレート１８の次の位置まで動く。前記二つの位置は、プレートから垂直方向に距離Eだけ離れた位置にあり、前記距離Eは、ストリップ４の幅Aより小さい。そのため、プレート１８がじょうご型溝２２の方向に動く時、折られたストリップ４は、要素２６の後ろに引っかかったままである。
【０１３５】
プレート１８がじょうご型溝２２の方向に移動すると、それらのエッジ１９は、底部２５に開口２７があるため底部２５を通過することができる。これにより、非常に鋭い折り線３が形成されることになる。
【０１３６】
本発明は、一例として説明され、図面に示された実施例によって限定されるものではなく、本発明による紙葉を束に装丁する方法は、本発明の範囲から逸脱することなく、様々な方法で治具店され得る。
【図１】
2015535203.tif 000003
【図２】
2015535203.tif 000004
【図３】
2015535203.tif 000005
【図４】
2015535203.tif 000006
【図５】
2015535203.tif 000007
【図６】
2015535203.tif 000008
【図７】
2015535203.tif 000009
【図８】
2015535203.tif 000010
【図９】
2015535203.tif 000011
【図１０】
2015535203.tif 000012
【図１１】
2015535203.tif 000013
【図１２】
2015535203.tif 000014
【図１３】
2015535203.tif 000015
【図１４】
2015535203.tif 000016
【図１５】
2015535203.tif 000017
【図１６】
2015535203.tif 000018
【図１７】
2015535203.tif 000019
【図１８】
2015535203.tif 000020
【図１９】
2015535203.tif 000021
【図２０】
2015535203.tif 000022
【図２１】
2015535203.tif 000023
【図２２】
2015535203.tif 000024
【図２３】
2015535203.tif 000025
【図２４】
2015535203.tif 000026
【図２５】
2015535203.tif 000027
【図２６】
2015535203.tif 000028
【手続補正書】
【提出日】平成26年11月4日(2014.11.4)
【手続補正１】
【補正対象書類名】明細書
【補正対象項目名】００１６
【補正方法】変更
【補正の内容】
【００１６】
本発明の主題は、紙葉のエッジを有する束を、装丁背部材内に配置して、該装丁背部材に固定することによって装丁背部材に紙葉の束を装丁する方法において、装丁を行うために、  各紙葉のストリップを、丁度同じ線に沿って、少なくとも１２０°の角度で予め別々に二重に折ることで、前記エッジと並行にのび、かつ、前記エッジから距離だけ離れた位置に折り線を形成した紙葉の束を使用し、それにより、装丁された束の紙葉が、エッジから同じ距離だけ離れた位置で二重に折られるようにしたことにある。
【手続補正２】
【補正対象書類名】明細書
【補正対象項目名】００４６
【補正方法】変更
【補正の内容】
【００４６】
本発明は、また、紙葉の少なくとも一部から成るストリップを、各々、別々に、丁度同じ線に沿って、少なくとも１２０°の角度で二重に折り、エッジと並行に伸び、かつ、エッジから所定の距離、離れて位置する折り線を形成し、それにより、紙葉の前記部分に対する距離が同一になる紙葉の束に関する。
【手続補正３】
【補正対象書類名】特許請求の範囲
【補正対象項目名】全文
【補正方法】変更
【補正の内容】
【特許請求の範囲】
【請求項１】
紙葉（１）のエッジ（２）を有する束（５）を、装丁背部材（７）内に配置して、該装丁背部材（７）に固定することによって装丁背部材（７）に紙葉（１）の束（５）を装丁する方法において、
装丁を行うために、
各紙葉（１）のストリップ（４）を、丁度同じ線に沿って、少なくとも１２０°の角度で予め別々に二重に折ることで、前記エッジ（２）と並行にのび、かつ、前記エッジ（２）から距離（A)だけ離れた位置に折り線（３）を形成した紙葉（１）の束（５）を使用し、
それにより、
装丁された束（５）の紙葉（１）が、エッジ（２）から同じ距離（A)だけ離れた位置で二重に折られるようにした
ことを特徴とする装丁方法。
【請求項２】
その紙葉（１）のストリップ（４）を、紙葉（１）の平面に折り戻した紙葉（１）の束（５）を使用する
ことを特徴とする請求項１に記載の装丁方法。
【請求項３】
前記ストリップ（４）が折りたたまれる角度が９０°より大きい
ことを特徴とする請求項１又は２に記載の装丁方法。
【請求項４】
前記ストリップ（４）を折りたたむ角度が少なくとも１２０°であることを特徴とする請求項３に記載の装丁方法。
【請求項５】
紙葉（１）の折り線（３）とエッジ（２）との間の距離（A)を、装丁された束（５）を開く時に、開かれた紙葉（１）がフラットに、又は実質的にフラットに広がるように選択することを特徴とする請求項１〜４の何れか一項に記載の装丁方法。
【請求項６】
装丁背部材（７）がV字型又はU字型の装丁背部材であり、前記距離（A)が本質的に装丁背部材（７）の深さに対応している
ことを特徴とする請求項１〜５の何れか一項に記載の装丁方法。
【請求項７】
前記距離（A)が、装丁背部材（７）の深さより少し大きい
ことを特徴とする請求項１〜６の何れか一項に記載の装丁方法。
【請求項８】
前記距離（A)が、１０〜１４ｍｍの間であり、好ましくは１２ｍｍである
ことを特徴とする請求項１〜７の何れか一項に記載の装丁方法。
【請求項９】
装丁背部材（７）が、熱溶融接着材（１０）が設けられた  金属製装丁背部材（７）であり、
固形化された後に、紙葉（１）を、それらの前記エッジ（２）に沿って留めるために、前記熱溶融接着材（１０）が装丁中に溶融されるように形成されている
ことを特徴とする請求項１〜８の何れか一項に記載の装丁方法。
【請求項１０】
装丁背部材（７）のアーム（１４）を、装丁背部材（７）に束（５）をクランプするために、束（５）が配置された後に絞り込む
ことを特徴とする請求項６〜９の何れか一項に記載の装丁方法。
【請求項１１】
束（５）を予めホチキス止めする
ことを特徴とする請求項１〜１０の何れか一項に記載の装丁方法。
【請求項１２】
紙葉（１）に、前記折り線（３）に至るまで連続する印刷物（１５）が予め設けられている
ことを特徴とする請求項１〜１１の何れか一項に記載の装丁方法。
【請求項１３】
お互いに向き合うようにされた隣接する紙葉（１）の側面（６）に、一方の側面（６）から他方の側面（６）まで両方の紙葉（１）の折り線（３）を超えて、言わば途切れなく続く印刷物（１５）が設けられ、
一方の側面（６）にある印刷物（１５）の部分が、関連した紙葉（１）の折り線（３）に至り、かつ、他方の側面（６）にある印刷物（１５）の部分が隣接する紙葉（１）の折り線（３）に至るようにされている
ことを特徴とする請求項１〜１２の何れか一項に記載の装丁方法。
【請求項１４】
一方の側面（６）の印刷物（１５）と他方の側面（６）の印刷物（１５）とが、折り線（３）を超えるオーバーラップ部分を介して連続している
ことを特徴とする請求項１３に記載の装丁方法。
【請求項１５】
ホルダー又は本の一つ又は二つのエンドペーパー（１１）が、装丁背部材（７）に設けられている
ことを特徴とする請求項１〜１４の何れか一項に記載の装丁方法。
【請求項１６】
エンドペーパー（１１）が、装丁背部材（７）のアーム（１４）に対して外側に、装丁背部材（７）のアーム（１４）に接触するまで、又は殆ど接触するまで、完全に折ることができる
ことを特徴とする請求項１５に記載の装丁方法。
【請求項１７】
紙葉（１）の少なくとも一部から成るストリップ（４）を、それぞれ独立して、丁度同じ線に沿って、少なくとも１２０°の角度で二重に折り、装丁すべきエッジ（２）と並行に伸び、かつ、エッジ（２）から所定の距離（A)離れて位置する折り線（３）を形成し、
それにより、紙葉（１）の前記一部分に対する距離（A)が同一になる
ことを特徴とする紙葉の束。
【請求項１８】
紙葉（１）のストリップ（４）が、それぞれ独立して、紙葉（１）の平面に折り戻されるために束（５）を構成する紙葉（１）がフラットになり、かつ、
距離（A)が約１０ｍｍと１４ｍｍの間である
ことを特徴とする請求項１７に記載の紙葉の束。
【請求項１９】
装丁背部材（７）と、その中に装丁される紙葉（１）の束（５）とを有する本又はホルダーであって、
装丁された束（５）が、請求項１７又は１８に記載の束（５）である
ことを特徴とする本又はホルダー。
【請求項２０】
請求項１７又は１８に記載の紙葉（１）の束（５）を形成する方法であって、
プレート（１９）の間から突出する幅（A)のストリップ（４）を除いて二枚のプレート（１８）の間に、折るべき紙葉（１）をクランプし、
突出するストリップ（４）を、紙葉（１）の平面に直交する方向（Y-Y')に部分的に折り、
部分的に折られたストリップ（４）と共にプレート（１８）を、
じょうご型溝（２２）の中に、又は、バネ付若しくは固定サスペンションを有する二つのローラの間に押し込むことによって、又は
じょうご型溝（２２）を有する外形付け要素（２１）を、プレート（１８）のエッジ（１９）を超えて動かすことによって、
ストリップ（４）をさらに折り、
じょうご型溝（２２）及び折られたストリップ（４）を有するプレート（１８）をお互いに離す方向に動かし、
折られたストリップ（４）を紙葉（１）の平面まで折り戻し、かつ、さらにプレート（１８）の反対側のストリップ（４）の部分的に折られる位置までストリップ（４）を折り戻し、
部分的に折られたストリップ（４）を有するプレート（１８）を、
じょうご型溝（２２）の中に、又はばね付若しくは固定のサスペンションを有する二つのローラの間に、押し込むことによって、又は
じょうご型溝（２２）を有する外形付け要素（２１）を、プレート（１８）のエッジ（１９）を超えて動かすことによって、
ストリップ（４）をさらに折り、次いで、
それを引き戻して、紙葉（１）の平面まで折られたストリップ（４）を折り戻す
ことで、束（５）を構成する各紙葉（１）を、独立して二重に折り
ことを特徴とする方法。
【請求項２１】
請求項２０による方法を適用して、紙葉（１）の束（５）を形成する装置（１７）であって、
該装置（１７）に、
幅（A)を有する突出したストリップ（４）を形成するために、紙葉（１）のエッジ（２）から距離（A)離れた位置にある線（２０）に沿って、束（５）の各紙葉（１）をクランプするためのクランプ手段（１８）と、
このストリップ（４）を、前記線（２０）に沿って、クランプ手段（１８）に対して、完全に又はほぼ完全に折るための折り曲げ手段と
が設けられ、
紙葉（１）のエッジ（２）から前記距離（A)の位置に折り線（３）を形成するようにした
ことを特徴とする装置。
【請求項２２】
クランプ手段（１８）が、二つのプレート（１８）によって形成され、それらの間に各紙葉（１）がクランプされ、
各プレート（１８）が、それに沿って紙葉（１）を折らなければならない線（２０）と整列するエッジ（１９）を有する
ことを特徴とする請求項２１に記載の装置。
【請求項２３】
硬質プレート（１８）が、鋼鉄で形成され、略０．３ｍｍの厚みを有する
ことを特徴とする請求項２１又は２２に記載の装置。
【請求項２４】
折り曲げ手段（２１）が、折り畳むべき紙葉（１）の平面に並行な方向（X-X')に沿って伸びる、じょうご型溝（２２）を有する外形付け要素（２１）によって形成されている
ことを特徴とする請求項２１〜２３の何れか一項に記載の装置。
【請求項２５】
折り曲げ手段（２１）及び紙葉（１）をクランプしたクランプ手段（１８）を、
折り畳まれるべき紙葉（１）がじょうご型溝（２２）と一直線上になる位置と、
紙葉（１）が、じょうご型溝（２２）の中にあり、前記ストリップ（４）がじょうご型溝（２２）の底部（２５）に直面する位置との間で、
お互いに対して、折り畳まれるべき紙葉（１）の平面と並行な方向（X-X')に動かす手段を備えている
ことを特徴とする請求項２１〜２４の何れか一項に記載の装置。
【請求項２６】
クランプされた紙葉（１）のストリップ（４）を、
紙葉（１）をじょうご型溝（２２）の中に動かす前に、
クランプ手段（１８）に対して直交する方向に折り畳む手段を、さらに備えている
ことを特徴とする請求項２５に記載の装置。
【請求項２７】
クランプ手段（１８）に、クランプ手段（１８）が折り曲げ手段（２１）に対して、紙葉（１）の平面に対して直交する方向（Y-Y')に、移動することができるようにする装置が設けられている
ことを特徴とする請求項２６に記載の装置。
【請求項２８】
折り曲げ手段（２１）が、じょうご型溝（２２）の入口（２３）の位置に、それらの間で、紙葉（１）が溝（２２）の中に移動し得る固定された又はバネ付サスペンションを有する一つ、二つ又はそれ以上のローラ（２４）を備えている
ことを特徴とする請求項２１〜２７の何れか一項に記載の装置。
【国際調査報告】
2015535203.tif 000029
2015535203.tif 000030